(57)【特許請求の範囲】
【請求項１】
軸の外周面で軸方向に離隔した２個所位置に、直接又はこの軸に外嵌固定された内輪を介して設けられた１対の内輪軌道と、それぞれの内周面にこれら各内輪軌道と対向する外輪軌道を形成した１対の外輪と、これら両外輪軌道と上記両内輪軌道との間にそれぞれ複数個ずつ転動自在に設けられた転動体と、上記両外輪の互いに対向する端面同士の間に挟持されてこれら両端面同士の間で突っ張る外輪間座とを備えた複列転がり軸受ユニットに於いて、この外輪間座は、全体を円筒状に造られて、上記両外輪の外径寸法よりも小さく、且つ、これら両外輪の端部開口の内径寸法よりも大きな外径寸法を有し、軸方向両端面をこれら両外輪の互いに対向する端面に突き合わせた、円筒状の間座本体と、この間座本体の少なくとも軸方向一端部に内嵌固定されたずれ止め環とを備え、このずれ止め環は、この間座本体の一端部に締まり嵌めにより内嵌固定自在な円筒部と、この円筒部の外端縁から直径方向外方に折れ曲がった、上記両外輪の開口部の内径寸法よりも少しだけ小さな外径寸法を有する鍔部とから成る、断面Ｌ字形で全体を円環状に形成されたものであり、上記ずれ止め環のうちの鍔部は、上記間座本体の少なくとも軸方向一端面から突出してこの軸方向一端面が突き当てられた外輪の端部内周面と係合し、上記間座本体が直径方向にずれ動く事を防止するものである事を特徴とする複列転がり軸受ユニット。
【請求項２】
ずれ止め環を構成する鍔部の内周縁を、軸の一部で外輪の内端部内径側に位置する部分の外周面又は内輪の内端部外周面に近接させると共に、当該部分又は内輪の外径側に配置した外輪の内端側のシールド板を省略した、請求項１に記載した複列転がり軸受ユニット。
【発明の詳細な説明】
【０００１】
【産業上の利用分野】
この発明に係る複列転がり軸受ユニットは、例えばビデオテープレコーダ（ＶＴＲ）やハードディスクドライブ装置（ＨＤＤ）の回転支持部を構成する。
【０００２】
【従来の技術】
ＶＴＲやＨＤＤの回転支持部を構成する為、図３に示す様な複列転がり軸受ユニット１が広く使用されている。この複列転がり軸受ユニット１は、回転軸２と、それぞれが深溝型玉軸受である１対の転がり軸受３、３と、１個の外輪間座４とから構成されている。上記各転がり軸受３、３はそれぞれ、外周面に内輪軌道５を有する内輪６と、内周面に外輪軌道７を有する外輪８と、これら内輪軌道５と外輪軌道７との間に複数個ずつ、それぞれ転動自在に設けられた転動体９、９とを有する。これら複数個ずつの転動体９、９は、それぞれ保持器１０により転動自在に保持している。又、外輪８の内周面両端部には、それぞれシールド板１１、１１の外周縁を係止して、上記転動体９、９設置部分に存在するグリースの漏洩防止を図っている。
【０００３】
又、上記１対の転がり軸受３、３を構成する各外輪８、８の互いに対向する端面同士の間には外輪間座４を挟持して、これら両外輪８、８の端面同士の距離が、所定値よりも近づく事を防止している。即ち、上記複列転がり軸受ユニット１は、上記各転がり軸受３、３を構成する内輪６、６を互いに近づく方向に押圧し、上記各転動体９、９に所定の予圧を付与した状態で、上記回転軸２に（必要に応じて接着剤を塗布する事により）外嵌固定している。この状態で上記各転動体９、９には、外向の接触角が付与されて、ラジアル方向及びスラスト方向に亙るがたつき防止が図られる。上記外輪間座４は、この様な予圧付与に拘らず、上記１対の外輪８、８同士が近づく事を防止する。尚、上述の説明から明らかな通り、１対の内輪軌道５、５のうちの一方は、回転軸２の外周面に直接形成する事も可能である。この場合には、例えば回転軸２の一部に、内輪６の外径寸法とほぼ同等の外径寸法を有する大径部を形成し、この大径部の外周面に内輪軌道を形成する。
【０００４】
何れにしても、上述の様な外輪間座４を組み込んだ複列転がり軸受ユニット１は、図３に示す状態に組み立て、上記各転動体９、９に所定の予圧を付与した状態で、軸受メーカーからＶＴＲやＨＤＤのメーカーに送られる。そして、ＶＴＲやＨＤＤのメーカーで、これらＶＴＲやＨＤＤの回転支持部に組み込まれる。従って上記外輪間座４は、搬送時に上記１対の外輪８、８の端面同士の間からずれ動かない様にする必要がある。この為、図３に示した従来構造の場合には、外輪間座４の軸方向一端面（図３の左端面）外周縁部に段部１３を、全周に亙って形成している。そして、この段部１３により形成された段差面１４と一方（図３の左方）の外輪８の端面（図３の右端面）とを当接させると共に、上記段部１３とこの一方の外輪８の開口部内周縁とを係合させている。この様な段部１３を有する外輪間座４は、例えば軸受鋼等の金属材を切削加工する等により円筒状に造る。
【０００５】
【発明が解決しようとする課題】
図３に示す様な段部１３を形成した外輪間座４の場合、この外輪間座４の他端面（図３の右端面）と段差面１４とを厳密に平行にする事が難しい。即ち、上記段部１３を、加工コストが低廉な旋盤加工により形成した場合には、上記平行度を十分に確保できず、１対の転がり軸受３、３の一方又は双方の予圧状態が、円周方向に亙って不均一になる。この様に予圧状態が不均一になると、当該転がり軸受３、３の回転に伴って振動が発生し易くなり、複列転がり軸受ユニット１を組み込んだＶＴＲやＨＤＤに十分な性能を発揮させる事が難しくなる。
上記段差面１４の加工を、例えば円筒研削盤により行なえば、必要とする平行度を確保して、上記ＶＴＲやＨＤＤの性能を確保できるが、工数が増えて加工の手間と時間とを要し、コストが嵩む為、改良が望まれている。
本発明の複列転がり軸受ユニットは、この様な事情に鑑みて発明したものである。
【０００６】
【課題を解決するための手段】
本発明の複列転がり軸受ユニットは、前述した従来の複列転がり軸受ユニットと同様に、軸の外周面で軸方向に離隔した２個所位置に、直接又はこの軸に外嵌固定された内輪を介して設けられた１対の内輪軌道と、それぞれの内周面にこれら各内輪軌道と対向する外輪軌道を形成した１対の外輪と、上記各内輪軌道と各外輪軌道との間にそれぞれ複数個ずつ転動自在に設けられた転動体と、上記両外輪の互いに対向する端面同士の間に挟持されてこれら両端面同士の間で突っ張る外輪間座とを備える。
特に、本発明の複列転がり軸受ユニットに於いては、上記外輪間座は、全体を円筒状に造られて上記両外輪の外径寸法よりも小さく、且つ、これら両外輪の端部開口の内径寸法よりも大きな外径寸法を有し、軸方向両端面をこれら両外輪の互いに対向する端面に突き合わせた、円筒状の間座本体と、この間座本体の少なくとも軸方向一端部に内嵌固定されたずれ止め環とを備える。このずれ止め環は、この間座本体の一端部に締まり嵌めにより内嵌固定自在な円筒部と、この円筒部の外端縁から直径方向外方に折れ曲がった、上記両外輪の開口部の内径寸法よりも少しだけ小さな外径寸法を有する鍔部とから成る、断面Ｌ字形で全体を円環状に形成されたものである。そして、上記ずれ止め環のうちの鍔部は、上記間座本体の少なくとも軸方向一端面から突出してこの軸方向一端面が突き当てられた外輪の端部内周面と係合し、上記間座本体が直径方向にずれ動く事を防止するものである。
【０００７】
【作用】
上述の様に構成される本発明の複列転がり軸受ユニットの場合には、間座本体の軸方向両端面同士の平行度さえ確保すれば、外輪間座を挟持する１対の外輪同士の平行度を確保して、複列転がり軸受ユニットを組み込んだ各種機器の性能を確保できる。円筒形の間座本体の軸方向両端面の平行度を確保する事は、平面研削盤により能率良く行なえる為、加工コストが嵩む事はない。
又、外輪間座を組み込んだ複列転がり軸受ユニットを組み立てた後、この複列転がり軸受ユニットを回転支持部分に組み付ける以前には、ずれ止め環と少なくとも一方の外輪の端部内周面との係合により、上記外輪間座が直径方向にずれ動く事を防止する。
【０００８】
【発明の実施の形態】
図１は、請求項１にのみ対応する、本発明の実施の形態の第１例を示している。尚、本発明の特徴は、間座本体とずれ止め環とを組み合わせる事により構成し、低コストで１対の外輪同士の平行度を確保できる様にする点にある。外輪間座を除いた複列転がり軸受ユニットの本体部分の構造及び作用に就いては、前述の図３に示した従来構造と同様である。従って、従来構造と同様部分には、図３と同一符号を付して重複する説明を省略若しくは簡略にし、以下、本発明の特徴部分を中心に説明する。
【０００９】
本例の構造に組み込まれる外輪間座１２ａは、間座本体１５ａの軸方向（図１の左右方向）一端部（図１の左端部）に、ずれ止め環１６ａを内嵌固定する事により構成されている。このうちの間座本体１５ａは、軸受鋼等、十分な圧縮強度を有する金属材により円筒状に造られている。この間座本体１５ａの外径寸法は、各外輪８、８の外径寸法よりも小さく、且つ、これら各外輪８、８の端部開口の内径寸法よりも大きい。
【００１０】
又、上記ずれ止め環１６ａは、合成樹脂を射出成形したり、或はアルミニウム合金等の塑性変形し易い金属材に絞り加工を施す等により、断面Ｌ字形で全体を円環状に形成している。即ち、このずれ止め環１６ａは、上記間座本体１５ａの一端部に締まり嵌めにより内嵌固定自在な円筒部１７と、この円筒部１７の外端縁（図１の左端縁）から直径方向外方に折れ曲がった鍔部１８とから成る。この鍔部１８の外径寸法は、各外輪８、８の端部開口の内径寸法よりも少しだけ小さくしている。
【００１１】
上述の様に構成される外輪間座１２ａを組み込んだ複列転がり軸受ユニット１ａを組み立てた後、この複列転がり軸受ユニット１ａをＶＴＲやＨＤＤ等の回転支持部分に組み付ける以前には、上記ずれ止め環１６ａを構成する鍔部１８の外周縁と一方の外輪８の端部内周面との係合により、上記外輪間座１２ａが直径方向（図１の上下方向）にずれ動く事を防止する。従って、上記複列転がり軸受ユニット１ａを、軸受メーカーからＶＴＲやＨＤＤのメーカーに搬送する際に、上記外輪間座１２ａが１対の外輪８、８の間から脱落する事はない。
【００１２】
又、本例の外輪間座１２ａの場合には、間座本体１５ａの軸方向両端面同士の平行度さえ確保すれば、外輪間座１２ａを挟持する１対の外輪８、８同士の平行度を確保して、複列転がり軸受ユニット１ａを組み込んだ各種機器の性能を確保できる。ずれ止め環１６ａの形状精度及び寸法精度は、上記１対の外輪８、８の平行度確保の面からは関係ない。円筒形に形成された上記間座本体１５ａの軸方向両端面の平行度を確保する事は、平面研削盤により能率良く行なえる。この為、加工コストが嵩む事はない。
【００１３】
次に、図２は、請求項１、２に対応する、本発明の実施の形態の第２例を示している。本例の場合は、外輪間座１２ｂを構成するずれ止め環１６ｂの鍔部１８ａを、上述した第１例の鍔部１８（図１）の場合に比べて厚肉に形成し、この鍔部１８ａに、シールド板としての機能を持たせている。即ち、本例の場合には、上記ずれ止め環１６ｂを構成する円筒部１７の一端部（図２の左端部）内周面（＝鍔部１８ａの内周縁）を、一方（図２の左方）の転がり軸受３を構成する内輪６の内端部（図２の右端部）外周面に近接させると共に、当該転がり軸受３の内端側のシールド板を省略している。その他の部分の構成及び作用は、上述した第１例の場合と同様である。
【００１４】
【発明の効果】
本発明の複列転がり軸受ユニットは、以上に述べた通り構成され作用するので、低コストで造れるにも拘らず、１対の外輪同士の平行度を十分に確保できる。この為、ＶＴＲやＨＤＤ等、複列転がり軸受ユニットを組み込んだ各種機器の低廉化と性能向上との両立に寄与できる。
【図面の簡単な説明】
【図１】  本発明の実施の形態の第１例を示す断面図。
【図２】  同第２例を示す断面図。
【図３】  従来構造の１例を示す断面図。
【符号の説明】
１、１ａ  複列転がり軸受ユニット
２  回転軸
３  転がり軸受
４  外輪間座
５  内輪軌道
６  内輪
７  外輪軌道
８  外輪
９  転動体
１０  保持器
１１  シールド板
１２ａ、１２ｂ  外輪間座
１３  段部
１４  段差面
１５ａ  間座本体
１６ａ、１６ｂ  ずれ止め環
１７  円筒部
１８、１８ａ  鍔部
【図１】
0003689962.tif 000002
【図２】
0003689962.tif 000003
【図３】
0003689962.tif 000004